(57)【要約】【課題】  香りを漂わせる芳香剤に封入した物体を視認させ、これらに光を照射し、その彩度と明度および照射時間などを変化させて趣きの異なった様子を視認させることで、リフレッシュ効果またはリラクゼーション効果を相乗的に向上させる汎用性の高い芳香装置を提供する。【解決手段】  透光性材料によって成形した容器２に芳香剤４を収納し、芳香剤４に興趣性の高い物体５を封入する。これによって、物体５を視認することができるので、芳香剤４が香りを漂わせる本来の作用と、物体５の視認により興趣性が高められる作用との複合作用によって、リフレッシュ効果またはリラクゼーション効果を相乗的に向上させるとともに、発光手段８により芳香剤４と物体５に光を照射し、その照射光を様々に変化させてさらに趣きの異なった様子を視認させることでより一層興趣性を高める。【選択図】        図１
0003119901.tif 000002
【実用新案登録請求の範囲】
【請求項１】
興趣性の高い物体を封入または浮上させた芳香剤が収納されている透光性の容器と、この容器の視認および芳香剤の芳香発散を可能に当該容器を収容する外箱とを備え、この外箱に容器を照射する発光手段が装備されていることを特徴とする芳香装置。
【請求項２】
請求項１に記載の芳香装置において、
前記芳香剤は興趣性の高い物体に調和する芳香を発散する芳香剤であることを特徴とする芳香装置。
【請求項３】
請求項１または請求項２のいずれかに記載の芳香装置において、
前記芳香剤にコレステリック液晶の粉末が混入されていることを特徴とする芳香装置。
【請求項４】
請求項１，請求項２または請求項３のいずれかに記載の芳香装置において、
前記容器は、交換可能に前記外箱に収容されていることを特徴とする芳香装置。
【請求項５】
請求項１，請求項２，請求項３または請求項４のいずれかに記載の芳香装置において、
前記外箱の立壁と上端開口部を着脱可能に塞ぐ上蓋との双方に窓が設けられていることを特徴とする芳香装置。
【請求項６】
請求項１，請求項２，請求項３，請求項４または請求項５のいずれかに記載の芳香装置において、
前記発光手段は、発光ランプを備え、前記発光ランプは赤、緑、青などの発光色の異なる発光ダイオードと、これら発光ダイオードの点灯順位、彩度と明度および点灯時間を制御する制御回路基板とを、１つの発光ランプ内に収めていることを特徴とする芳香装置。
【請求項７】
請求項１，請求項２，請求項３，請求項４，請求項５または請求項６のいずれかに記載の芳香装置において、
前記発光手段は、表面において光を反射する光反射板を備えていると共に、この光反射板の中央部に発光ランプに対向する透孔を設けていることを特徴とする芳香装置。
【請求項８】
請求項１，請求項２，請求項３，請求項４，請求項５，請求項６または請求項７のいずれかに記載の芳香装置において、
前記光反射板は、前記透孔の周囲の光反射板を、斜め下方に傾斜する傾斜部として形成していることを特徴とする芳香装置。
【考案の詳細な説明】
【技術分野】
【０００１】
本考案は、快適な車室空間または室内空間を造りだすことができる芳香装置に関するものである。
【背景技術】
【０００２】
従来、快適な車室内空間を造りだすことができる自動車用芳香装置が提供されている（たとえば、特許文献１）。
【０００３】
前記特許文献１に記載された自動車用芳香装置は、液体、固体、粒体あるいはゲル状の芳香剤を収納した容器に、振動により発光する発光ダイオードユニットを設けたものである。
【０００４】
【特許文献１】実用新案登録第３０５７８５９号公報
【考案の開示】
【考案が解決しようとする課題】
【０００５】
しかし、前記特許文献１に記載されている自動車用芳香装置の使用範囲は、振動が生じる車室内のみに制限される。また、香りを漂わせる本来の作用に振動による発光を視認させるだけの単純なものにしか過ぎない。このため、興趣性が低く高いリフレッシュ効果を期待することができない難点を有している。
【０００６】
本考案は、このような問題を解決するものであって、香りを漂わせる本来の作用と、芳香剤および該芳香剤に封入または浮遊させた物体を視認させる作用に加えて、芳香剤と物体に光を照射し、その彩度と明度および照射時間などを様々に変化させて趣きの異なった様子を視認させる作用との複合により、興趣性を著しく高めることで、車室内ではリフレッシュ効果を、無振動空間である家屋の室内ではリラクゼーション効果を相乗的に向上させることができる汎用性の高い芳香装置を提供することにある。
【課題を解決するための手段】
【０００７】
本考案に係る芳香装置は、興趣性の高い物体を封入または浮上させた芳香剤が収納されている透光性の容器と、この容器の視認および芳香剤の芳香発散を可能に当該容器を収容する外箱とを備え、この外箱に容器を照射する発光手段が装備されていることを特徴とするものである。
【０００８】
これによれば、芳香剤に封入または浮上させている興趣性の高い物体を視認することができる。このため、芳香剤が香りを漂わせる本来の作用と、封入または浮上物体の視認により興趣性が高められる作用と、発光手段により容器および該容器を透して芳香剤と物体に光を照射し、かつ、照射光を様々に変化させて趣きの異なった様子を視認させる作用との複合により、興趣性を著しく高めて車室内に設置した場合はリフレッシュ効果を、無振動空間である家屋の室内に設置した場合はリラクゼーション効果を相乗的に向上させることができる。すなわち、発光手段は、振動の有無に関係なく発光機能を発揮できるので、車室内と家屋の室内での共用が可能であるとともに、容器を外箱に収容した状態で安定設置することができる。
【０００９】
本考案に係る芳香装置は、芳香剤によって、前記興趣性の高い物体に調和する芳香を発散させることが望ましい。これによると、封入または浮上物体の視認により興趣性が高められる作用に加えて、視認した物体に調和する香りを感じさせることができるので、前記リフレッシュ効果とリラクゼーション効果をそれぞれより一層向上させることができる。
【００１０】
本考案に係る芳香装置は、芳香剤にコレステリック液晶の粉末を混入することが望ましい。これによると、コレステリック液晶の粉末が、白色光のもとで特定波長領域の光を選択的に反射する光輝剤として作用し、独自の光輝雰囲気を醸し出すので、前記封入または浮上物体の視認により興趣性が高めるられる作用に、独自の光輝雰囲気の視認が加味されることになるから、前記リフレッシュ効果とリラクゼーション効果の向上に寄与することができる。また、前記発光手段によりコレステリック液晶の粉末に光を照射すると、照射光色のもとで特定波長領域の光を選択的に反射し、前記白色光を選択的に反射した場合よりも光輝剤としての作用が増幅されて、より鮮明な光輝雰囲気を醸し出すことができる。
【００１１】
本考案に係る芳香装置は、容器を交換可能に外箱に収容することが望ましい。これによると、容器と外箱とをペアで購入する必要が初回の購入時のみに限られ、それ以降は容器のみを購入して、使用期限を経過した前回購入の容器と交換することができる。したがって、初回に購入した外箱を繰り返し活用することができるので経済的に有利である。
【００１２】
本考案に係る芳香装置は、外箱の立壁と上端開口部を着脱可能に塞ぐ上蓋との双方に窓が設けられていることを特徴とするものである。これによると、外箱の立壁に設けた窓と容器を透して、芳香剤、興趣性の高い物体あるいはコレステリック液晶の粉末を視認することができるとともに、上蓋に設けた窓を透して室内空間に芳香を飛散させ、かつ、光を照射することによって興趣性が高めるられるので、前記リフレッシュ効果とリラクゼーション効果をさらに向上させることができる。
【００１３】
本考案に係る芳香装置の発光手段は、発光ランプを備え、前記発光ランプは赤、緑、青などの発光色の異なる発光ダイオードを有すると共に、これら発光ダイオードの点灯順位、彩度と明度および点灯時間を制御する制御回路基板を１つの発光ランプ内に収めていることを特徴とするものである。
【００１４】
これによれば、コンパクトにまとめた構成によって、容器を透して芳香剤、興趣性の高い物体あるいはコレステリック液晶の粉末に照射される赤、緑、青などの発光色の異なる発光ダイオードの点灯順位、彩度と明度および点灯時間を制御できるので、様々な色合いの光を芳香剤、興趣性の高い物体あるいはコレステリック液晶の粉末に照射することができる。このため、視認するタイミングに応じて異なる芳香剤、興趣性の高い物体あるいはコレステリック液晶の粉末の色変化を観賞することができるとともに、外箱の上蓋に設けた窓を透して室内空間に照射される光の様々な色変化を観賞することもできる。
【００１５】
本考案に係る芳香装置は、発光手段に表面において光を反射する光反射板を装備すると共に、この光反射板の中央部に発光ランプに対向する透孔を設けていることが望ましい。これによると、発光ランプの照射光が、発光ランプに対向する透孔を通じて直接容器に照射することができると共に、発光ランプの照射光の一部が反容器方向に照射されても、この反容器方向の照射光を反射して容器方向に照射することができるので、芳香剤、興趣性の高い物体あるいはコレステリック液晶の粉末に対する発光ランプの照射効率を高めることができる。
【００１６】
本考案に係る芳香装置は、前記光反射板は、前記透孔の周囲の光反射板を、斜め下方に傾斜する傾斜部として形成していることが望ましい。これによると、発光ランプの照射光が、発光ランプに対向する透孔を通じてより確実に、かつ大量に容器に照射することができる。
【考案の効果】
【００１７】
本考案によれば、香りを漂わせる本来の作用と、芳香剤、興趣性の高い物体あるいはコレステリック液晶の粉末を視認させる作用に加えて、これらに光を照射し、その彩度と明度および照射時間などを様々に変化させて趣きの異なった様子を視認させる作用との複合により、興趣性を著しく高めることでリフレッシュ効果またはリラクゼーション効果を相乗的に向上させることができる。しかも、車室内のみならず無振動空間である家屋の室内での使用が可能であるから、汎用性を高めることができる。
【考案を実施するための最良の形態】
【００１８】
図１は本考案の実施形態を示す縦断面図で、（Ａ）はその使用前又は販売時の状態を示し、（Ｂ）はその使用状態時を示すものである。また、図２は容器の半裁縦断面図である。これらの図において、芳香装置１は、容器２と、この容器２を収容する外箱３とを備えている。
【００１９】
容器２は、ガラスまたは透明樹脂などの透光性材料によって上端を開口２ａした有底円筒状に成形され、内部にゲル状芳香剤４を収納し、このゲル状芳香剤４には、興趣性の高い物体５として１枚の鳥の羽根（たとえばアヒルの羽根）を封入してある。そして、開口２ａの外周およびその近傍の外周に雄ネジ２ｂを設け、使用前又は販売時には、図１（Ａ）に示すように密閉部材７が容器２の上端開口２ａを封止している。この封止は、密閉部材７により開口２ａを塞ぐことによりゲル状芳香剤４の揮発を防いでおり、後に説明する外箱３の上蓋９の長い垂下片９ｂに設けた凸部９ｃを容器２の雄ネジ２ｂに螺合して締め付け、容器２に上蓋９を被せることで密閉部材７の周縁部を開口２ａ周縁部の上端に押しつけることによりなされる。
【００２０】
外箱３は、図１、図３、図４および図５に示すように、上端を開口３ａした有底四角筒状（直方体状）のもので、その底部には発光手段８が装備されており、四面の立壁３ｂ，３ｃ．３ｄ，３ｅにおいて、第１コーナ部１０ａで交わる二面の立壁３ｂ，３ｃには、その高さ方向の上下縁部を除いて水平方向で立壁３ｂ，３ｃに連続する大きい窓１１ａが設けられ、第２コーナ部１０ｂで交わる二面の立壁３ｄ，３ｅには、その高さ方向の上下縁部を除いて水平方向で立壁３ｄ，３ｅに連続する（ただし、連続している状態は図示されていない）大きい窓１１ｂを設けてある。
【００２１】
外箱３の上端開口３ａには、上蓋９が着脱可能に取り付けられる。上蓋９は四角形を呈する板状のもので、その外周縁部下面には内外二重の弾性垂下片９ａ，９ｂが設けられ、外周の短い垂下片９ａは、上蓋９によって外箱３の上端開口３ａを塞いだ際に、外箱３の四面の立壁３ｂ，３ｃ．３ｄ，３ｅにおける上端部近傍の内面、つまり、外箱３の上端開口３ａの内面に密着して、上蓋９が外箱３から自然発生的に脱落するのを防止して施蓋状態を維持するように働く。また、内周の長い垂下片９ｂは、後述するように外箱３に容器２を収容した際に、容器２をガタツクことなく位置決めして固定するためのもので、容器２の雄ネジ２ｂに係合可能な複数の山形の凸部９ｃを内側に向けて突設してある。また、板状部には複数の窓１２を設けてある。
【００２２】
発光手段８について、発光ランプ８０は、図１，図５および図６に示すように、赤、緑、青などの発光色の異なる三色の発光ダイオードＲ，Ｇ，Ｂと、たとえばマイクロコンピュータからなり各発光ダイオードＲ，Ｇ，Ｂの点灯順位および発光量を制御する制御回路を備えた制御回路基板８Ａとから成るものであり、それら三色の発光ダイオードと制御回路基板８Ａが１つの発光ランプ８０内に収められている。発光ランプ８０への電源供給は外箱３の底部に装備されている３本の電池Ｅによりなされる。前記発光ランプ８０を実装したプリント基板である回路基板８Ｘは外箱３の底部に装備されて、前記３本の電池Ｅと接続されている。ＳＷは電源スイッチを示す。さらに、発光ランプ８０と容器２の間には、光反射板１３を介装している。この光反射板１３は表面において光を反射するように形成されると共に、光反射板１３の中央部には発光ランプ８０に対向する透孔１３ａが設られている。また、この透孔１３ａの周囲の光反射板１３は、斜め下方に傾斜する傾斜部１３ｂとして形成されている。
【００２３】
前記構成の芳香装置１は、その使用に際して、まず、図１（Ａ）の外箱３から容器２と共に上蓋９を取り外す。つぎに、容器２から上蓋９を取り外して、密閉部材７を取り除き（図２参照）、そして、ふたたび外箱３から取り外された上蓋９を容器２の上端開口２ａに取り付ける。上蓋９の取り付けは、該上蓋９の長い垂下片９ｂに内側に向けて突設してある山形の凸部９ｃ容器２の雄ネジ２ｂに係合することによって行うことができる。尚、上蓋９の取り外しはその逆で有る。上蓋９を取り付けた容器２は、前述のように開放されている外箱３の上端開口３ａから挿入して上蓋９を上端開口３ａに嵌合することで、図１（Ｂ）に示すように外箱３にセットされる。この状態で、外箱３を自動車の車室内の適所（たとえば、ダッシュボード）または家屋の室内の適所に設置する。
【００２４】
前記の設置状態において、外箱３の立壁３ｂ〜３ｅに設けた大きい窓１１ａ，１１ｂと容器２を透して、芳香剤４、興趣性の高い物体５であるアヒルの羽根を視認することができる。このため、芳香剤４が香りを漂わせる本来の作用と、アヒルの羽根によりその羽根が風に舞うような軽く爽やかな状態を視認させて興趣性が高められる作用との複合作用によって、車室内に設置した場合はリフレッシュ効果を、無振動空間である家屋の室内に設置した場合はリラクゼーション効果を相乗的に向上させることができる。また、容器２にゲル状芳香剤４が収納されていると、自動車の急発進、急制動、急激なハンドル操作などの異常運転時や異常振動発生時などにおいても、芳香剤４が容器から溢出するのを確実に回避することができる。ただし、家屋の室内に設置する芳香装置１であれば、容器２に収納される芳香剤４は液状であってもよい。
【００２５】
前記芳香剤４によって、興趣性の高い物体５であるアヒルの羽根に調和する芳香、つまり、羽根が風に舞うような軽く爽やかなスカッシュなどの柑橘系またはラムネなどのスパークリング感のある香りを発散させるように構成することで、アヒルの羽根の視認により興趣性が高められる作用に加えて、視認したアヒルの羽根に調和する前述の香りを感じさせることができるので、リフレッシュ効果またはリラクゼーション効果をより一層向上させることができる。
【００２６】
さらに、芳香剤４にコレステリック液晶の粉末１４を混入しておくと、コレステリック液晶の粉末１４が、白色光のもとで特定波長領域の光を選択的に反射する光輝剤として作用し、独自の光輝雰囲気を醸し出すので、前記アヒルの羽根の視認により興趣性が高めるられる作用に、独自の光輝雰囲気の視認が加味されるため、リフレッシュ効果またはリラクゼーション効果の向上を助長することができる。
【００２７】
芳香剤４に封入している興趣性の高い物体５としては、前記アヒルの羽根の他に様々な物が存在する。その中でも、各種の花（造花）や純金製または金メッキ製の物が興趣性の高い物体５として推奨できる。造花を興趣性の高い物体５として芳香剤４に封入した場合には、生花のようなみずみずしさに溢れる状態を視認させ、かつ各種の花に調和する華やかな香りを感じさせてリフレッシュ効果またはリラクゼーション効果を向上させることができる。また、純金製または金メッキ製の物を興趣性の高い物体５としてゲル状芳香剤４に封入した場合には、ゴージャス感やセレブ感を視認させ、かつゴージャス感やセレブ感のある雅趣に富んだ上品で優美な香りを感じさせてリフレッシュ効果またはリラクゼーション効果を向上させることができる。
【００２８】
一方、図７に示すように、ガラスまたは樹脂製の透明な浮き玉１５内に封入した色付きの液体１６によって興趣性の高い物体５を構成してもよい。これによると、自動車の振動によって色付きの液体１６が揺動するので、ゲル状芳香剤４が香りを漂わせる本来の作用と、浮上物体５である色付きの液体１６の視認により興趣性が高められる作用との複合作用によって、リフレッシュ効果を相乗的に向上させて、快適な車室内空間を造り出すことができる。なお、図７において、図１、図２と同一部分には、同一符号を付して重複する説明は省略する。
【００２９】
ここで、図１、図５、図６に示す発光手段８の電源スイッチＳＷを投入すると、発光ランプ８０の発光ダイオードＲ、Ｇ、Ｂの照射光は、光反射板１３の透孔１３ａを透過し、容器２を透して芳香剤４、興趣性の高い物体５あるいはコレステリック液晶の粉末１４に照射される。発光ダイオードＲ、Ｇ、Ｂの点灯順位、彩度と明度および点灯時間を制御することによって、様々な色合いの光を芳香剤４、興趣性の高い物体５あるいはコレステリック液晶の粉末１４に照射することができる。このため、視認するタイミングに応じて異なる芳香剤４、興趣性の高い物体５あるいはコレステリック液晶の粉末１４の色変化を観賞することができるとともに、外箱３の上蓋９に設けた窓１２を透して室内空間に照射される光の様々な色変化を観賞することもできる。
【００３０】
芳香剤４に混入しているコレステリック液晶の粉末１４に発光ランプ８０の光が照射されると、照射光色のもとで特定波長領域の光を選択的に反射し、前述した白色光を選択的に反射した場合よりも光輝剤としての作用が増幅されて、より鮮明な光輝雰囲気を醸し出すことができる。
【００３１】
また、発光手段８に表面において光を反射する光反射板１３を装備すると共に、この光反射板１３の中央部に発光ランプ８０に対向する透孔１３ａを設けていることていることによって、発光ランプ８０の照射光が、発光ランプ８０に対向する透孔１３ａを通じて直接容器２に照射することができると共に、発光ランプ８０の照射光の一部が光反射板１３の上側で反容器２の方向に照射されても、この反容器２の方向の照射光を反射して容器２方向に照射することができるので、芳香剤４、興趣性の高い物体５あるいはコレステリック液晶の粉末１４に対する発光ランプ８０の照射効率を高めることができる。
【００３２】
さらに、前記光反射板１３は、前記透孔１３ａの周囲の光反射板１３を、斜め下方に傾斜する傾斜部１３ｂとして形成していることことから、発光ランプ８０の照射光が、発光ランプ８０に対向する透孔１３ａを通じてより確実に、かつ大量に容器２に照射することができる
【００３３】
図１（Ｂ）に示す外箱３と容器２とのセット状態での使用継続により、芳香剤４が揮発して使用期限に達した場合は、上蓋９と容器２を外箱３から取り出し、上蓋９から容器２を取り外したのちに、新しい容器２を上蓋９に取り付け、前述の手順で容器２を外箱３にセットすることで再使用に供することができる。すなわち、容器２と外箱３とをペアで購入する必要が初回の購入時のみに限られ、それ以降は容器２のみを購入して、使用期限を経過した前回購入の容器２と交換することができる。したがって、初回に購入した外箱３を繰り返し活用することができるので経済的に有利である。
【図面の簡単な説明】
【００３４】
【図１】本考案の実施形態を示す縦断面図で有り、（Ａ）はその使用前又は販売時の状態を示し、（Ｂ）は使用状態を示すものである。
【図２】容器の半裁縦断面図である
【図３】外箱の実施形態を示す斜視図である。
【図４】図１（Ｂ）の平面図である。
【図５】外箱の底部を示す平面図である。
【図６】発光手段の電気的構成の一例を示すブロック図である。
【図７】興趣性の高い物体の他の実施形態を示す容器の半裁縦断面図である。
【符号の説明】
【００３５】
１  芳香装置
２  透光性の容器
３  外箱
３ａ  上端開口
３ｂ〜３ｅ  立壁
４  芳香剤
５  興趣性の高い物体
８  発光手段
９  上蓋
１１ａ  外箱の窓
１１ｂ  外箱の窓
１２  上蓋の窓
１３  光反射板
１３ａ  透孔
１３ｂ  傾斜部
１４  コレステリック液晶の粉末
８０  発光ランプ
【図１】
0003119901.tif 000003
【図２】
0003119901.tif 000004
【図３】
0003119901.tif 000005
【図４】
0003119901.tif 000006
【図５】
0003119901.tif 000007
【図６】
0003119901.tif 000008
【図７】
0003119901.tif 000009